(57)【要約】【課題】棚板が落下する危険性を抑止でき、棚板の取付態様を種々に変更することで、一つの棚でいくつものバリエーションの展開を可能にする棚板の取付構造を提供する。【解決手段】対向配置された一対の側板１１に取り付けられた棚板支持用のピン１５に、棚板１１に形成された係合凹部１２を係合させて棚板１１を取り付ける棚板の取付構造において、係合凹部１２を開閉する開閉蓋１３を有し、この開閉蓋１３は係合凹部１２に係合するピン１５が係合凹部１２から抜脱しないように、係合凹部１２のピン１５の出入口を閉じるとともに、開閉蓋１３を閉じた状態で、ピン１５を軸とする棚板１１の回転が自在とした。棚板１１の側面に沿ってピン１５と係合する長孔１２ａが形成され、係合凹部１２は前記長孔に連通し、ピン１５を軸とする棚板１１の回転の他、ピン１５により支持された状態で棚板１１を長手方向に移動自在とした。【選択図】図２
2014008382.tif 000002
【特許請求の範囲】
【請求項１】
対向配置された一対の側板に取り付けられた棚板支持用のピンに、棚板に形成された係合凹部を係合させて棚板を取り付ける棚板の取付構造において、
前記係合凹部を開閉する開閉蓋を前記棚板に設けて、前記係合凹部の前記ピンの出入口を閉じ、前記係合凹部に係合した前記ピンが前記係合凹部から抜脱しないようにするとともに、前記開閉蓋を閉じた状態で、前記ピンを軸とする前記棚板の回転が自在であること、を特徴とする棚板の取付構造。
【請求項２】
前記棚板の側面に沿って前記ピンと係合する長孔が形成され、前記係合凹部は前記長孔に連通し、前記ピンを軸とする棚板の回転の他、前記ピンにより支持された状態で前記棚板を長手方向に移動自在とすることを特徴とする請求項１に記載の棚板の取付構造。
【請求項３】
前記棚本体に長孔が形成され、前記棚板に取り付けたピンが前記長孔に沿って移動することで前記棚板を長手方向に移動自在とすることを特徴とする請求項１に記載の棚板の取付構造。
【請求項４】
前記長孔の両端又は途中位置に、前記係合凹部を複数形成したことを特徴とする請求項１又は２に記載の棚板の取付構造。
【発明の詳細な説明】
【技術分野】
【０００１】  本発明は、食器棚や本棚等の棚における棚板の取付構造に関する。
【背景技術】
【０００２】  例えば食器棚で棚板の高さを任意に調節できるものは、棚の一対の側板の内側に設けられた複数の穴に棚板支持用のピンを任意の高さ位置に固定しておき、これらのピンに棚板の下面に形成された棚板支持用の凹部が係合されるようにして棚板を取付けるようになっている。
しかし、上記した従来の取付構造では、ピンに棚が載っているだけなので、僅かな振動や衝撃で棚板がピンから外れて落下しやすいという問題があった。また、食器棚等の棚においては、棚板の姿勢を種々に変更して被収納物の収納に最適な状態にしたいという要望が強い。
【先行技術文献】
【特許文献】
【０００３】
【特許文献１】  実開平５−４１４４０号公報
【発明の概要】
【発明が解決しようとする課題】  本発明は上記の問題にかんがみてなされたもので、第一に、棚板が落下する危険性を抑止できる棚板の取付構造を提供すること、第二に、前記第一の目的を達成しつつ、棚板の取付態様を種々に変更することで、一つの棚でいくつものバリエーションの展開を可能にする棚板の取付構造を提供することを目的とする。
【課題を解決するための手段】
【０００４】  上記の目的を達成するために、本発明の棚板の取付構造は、対向配置された一対の側板に取り付けられた棚板支持用のピンに、棚板に形成された係合凹部を係合させて棚板を取り付ける棚板の取付構造において、前記係合凹部を開閉する開閉蓋を前記棚板に設けて、前記係合凹部の前記ピンの出入口を閉じ、前記係合凹部に係合した前記ピンが前記係合凹部から抜脱しないようにするとともに、前記開閉蓋を閉じた状態で、前記ピンを軸とする前記棚板の回転が自在になるように構成されている。
また、前記棚板の側面に沿って前記ピンと係合する長孔が形成され、前記係合凹部は前記長孔に連通し、前記ピンを軸とする棚板の回転の他、前記ピンにより支持された状態で前記棚板を長手方向に移動自在としてもよい。この場合、前記長孔の両端又は途中位置に、前記係合凹部を複数形成してもよい。
前記棚本体に長孔を形成し、前記棚板に取り付けたピンが前記長孔に沿って移動することで前記棚板を長手方向に移動自在とするようにしてもよい。
【発明の効果】
【０００５】本発明によれば、開閉蓋が係合凹部のピンの出入口を閉じるので、ピンと棚板とが容易に外れず、棚板が落下する危険性を抑止できる。
また、棚板の側面に長孔を形成し、この長孔に沿ってピンと棚板とが相対的に移動できるようにすることで、棚板の回転の他、棚板の長手方向への平行移動が可能になり、棚板の姿勢を種々に変更することが可能になる。また、棚板を開閉自在な棚の蓋（扉）としても利用することも可能になる。
【図面の簡単な説明】
【０００６】
【図１】  本発明の棚板の取付構造が適用される棚の例で、（ａ）は棚板の変更前を、（ｂ）は変更後を示している。
【図２】  本発明の棚板の取付構造の第一の実施形態にかかり、棚板の要部の斜視図である。
【図３】  本発明の棚板の取付構造の第二の実施形態にかかり、棚板の要部の斜視図である。
【図４】  図２の棚板の取付構造を用いた棚板の取付態様の例を示す図である。
【図５】  図３の棚板の取付構造を用いた棚板の取付態様の例を示す図である。
【図６】  図３のさらに他の実施形態を示す図である。
【発明を実施するための形態】
【０００７】  本発明の棚板の取付構造を、図面を参照しながら詳細に説明する。
図１は本発明の第一の実施形態にかかる棚の例である。（ａ）は棚板の変更前を、（ｂ）は変更後を示している。
この棚１は、（ａ）（ｂ）に示すように、三つの棚板１１の角度を自在に変更できるようになっている。
【０００８】  図２は、本発明の第一の実施形態にかかる棚板１１の構成を説明する斜視図で、説明をわかりやすくするために棚板の底面を上に向けて記載している。
棚板１１の両端（他端側は図示を省略）には、棚本体側に取付られた棚を支持するためのピン１５が上下方向から出入りできる断面Ｕ字状の係合凹部１２が形成されている。棚板１１の底面には、係合凹部１２を開閉する開閉蓋１３（開閉方向を図中矢印で示す）が取り付けられ、係合凹部１２の開口部分を閉じることで、ピン１５が係合凹部１２から脱出しないようにする。このように構成することで、係合凹部１２の開口部分を開閉蓋１３で閉じてしまえば、ピン１５が係合凹部１２から脱出できなくなり、棚板１１が落下するおそれが無くなる。従って、ピン１５を軸として棚板１１を回転させることが可能になる。
【０００９】  図３は、第二の実施形態の棚板１１′で、棚板１１′の両端面に前後の係合凹部１２を連通する長孔１２ａが形成されている。ピン１５はこの長孔１２ａ内に挿入可能である。係合凹部１２のそれぞれは、第一の実施形態と同様に開閉蓋１３で開閉できるようになっている。この実施形態の棚板１１′では、先の実施形態の棚板１１と同様にピン１５を軸として棚板１１を回転させることが可能であるほか、ピン１５を長孔１２ａに沿って相対的に移動させることで、ピン１５に棚板１１′を支持させたままで棚板１１′を前後にスライドさせることが可能である。
【００１０】  図４は、本発明の第一の実施形態による棚板１１の取付形態を説明する図である。
通常の棚板１１の配置状態（ｉ）から、後方（図の右側）の係合凹部１２の開閉蓋１３を開いて棚板１１を上方に傾ける（ｉｉ）。そして、棚の本体の側部に対向して多数形成されたピン取付孔１５ａのうち、所定のピン取付孔１５ａにピン１５を差し込み、後方の係合凹部１２に差し込む。この状態で開閉蓋１３を閉じれば、棚板１１は当該傾斜角度で固定される。
次に、後方（図の右側）の係合凹部１２の開閉蓋１３を開いて棚板１１を反時計回り方向に回転させる（ｉｉｉ）。これにより、棚板１１は、棚下方の収納部の入口を覆う蓋として機能する（ｉｖ）。
【００１１】  図５は、本発明の第二の実施形態による棚板１１′の取付形態を説明する図である。
通常の棚板１１′の配置状態（ｉ）から、後方の係合凹部１２の開閉蓋１３を開いて棚板１１を反時計回り方向に回転させる。これにより、棚板１１は、棚下方の収納部の入口を覆う蓋として機能する（ｉｉ）。次いで、（ｉｉ）の状態から、棚板１１′を時計回りに回転させつつ（ｉｉｉ）、後方に押し込む（ｉｖ）。軸となったピン１５が長孔１２ａの内部を相対的に移動することで、棚板１１′が後方に移動する。そして、係合凹部１２の開閉蓋１３を開いて、所定のピン取付孔１５ａに取り付けられたピン１５を係合凹部１２に差し込むことで、棚板１１′を水平状態にすることができる。
【００１２】  本発明は上記の説明に限定されない。例えば、図３の他の実施形態では、図６に示すように二つのピン１５のうちの一つを棚板１１に取り付け、棚本体の方に長孔２０を形成している。他方のピン１５は、棚本体に取り付けて、棚板１１の係合凹部１２に係合するようにしている。このようにすれば、棚板１１に取り付けたピン１５を棚本体の長孔２０に沿って移動させながら、棚板１１をスライドさせることができる。
【産業上の利用可能性】
【００１３】  本発明の棚板の取付構造は、食器棚、書類棚、食品棚、陳列棚等のように、棚板を有するあらゆる棚に適用が可能である。
【符号の説明】
【００１４】１                棚
１１、１１′      棚板
１２              ピン係合溝
１２ａ            長孔
１３              スライドカバー
１５              ピン
１５ａ            ピン取付孔
【図１】
2014008382.tif 000003
【図２】
2014008382.tif 000004
【図３】
2014008382.tif 000005
【図４】
2014008382.tif 000006
【図５】
2014008382.tif 000007
【図６】
2014008382.tif 000008